(57)【要約】【課題】簡易な構成でＩＣタグに対する不正アクセスを確実に検出できる情報通信システムおよび情報通信方法を提供すること。【解決手段】書換え可能な情報とともに、情報に対する最新の読出履歴および／または最新の書換履歴を含む最新のアクセス履歴を記録するＩＣタグ２と、ＩＣタグ２と非接触により情報通信を行うリーダ・ライタ３と、情報に対する過去のアクセス履歴を記録するアクセス履歴ＤＢ４３と、最新のアクセス履歴と前記過去のアクセス履歴とを比較し、この比較結果をもとに不正アクセスを検出する不正アクセス検出部４２０と、を備える。【選択図】        図１
2007006144.tif 000002
【特許請求の範囲】
【請求項１】
書換え可能な情報とともに、前記情報に対する最新の読出履歴および／または最新の書換履歴を含む最新のアクセス履歴を記録する情報記録媒体と、
前記情報記録媒体と非接触により情報通信を行う情報通信手段と、
前記情報に対する過去のアクセス履歴を記録するアクセス履歴記録手段と、
前記最新のアクセス履歴と前記過去のアクセス履歴とを比較し、この比較結果をもとに不正アクセスを検出する不正アクセス検出手段と、
を備えたことを特徴とする情報通信システム。
【請求項２】
前記情報通信手段を接続するクレードルと、
前記クレードルに接続されたネットワークと、
前記ネットワークに接続され、前記アクセス履歴記録手段と前記不正アクセス検出手段とを備えた情報処理手段と、
を備え、
前記情報通信手段が前記クレードルに接続され、前記ネットワークを介して前記情報処理手段が前記最新のアクセス履歴を取得し、前記最新のアクセス履歴と前記過去のアクセス履歴とを比較し、この比較結果をもとに不正アクセスを検出することを特徴とする請求項１に記載の情報通信システム。
【請求項３】
前記情報処理手段は、前記情報媒体が記録する前記情報を記録する情報記録手段をさらに備え、
前記情報処理手段は、前記不正アクセスが前記情報に対する不正書換である場合、不正書換が行われる前の情報を前記情報記録手段から抽出し、前記情報記録媒体に送出し、前記不正書換が行われた情報を修復する情報修復手段を備えることを特徴とする請求項２に記載の情報通信システム。
【請求項４】
前記アクセス履歴記録手段と前記不正アクセス検出手段とをリーダライタが備え、
前記リーダライタは、前記情報記録媒体に対するアクセス時に前記情報記録媒体が記録する前記最新のアクセス履歴を読出し、前記最新のアクセス履歴と前記過去のアクセス履歴とを比較し、この比較結果をもとに不正アクセスを検出すことを特徴とする請求項１に記載の情報通信システム。
【請求項５】
前記リーダライタは、前記情報媒体が記録する前記情報を記録する情報記録手段をさらに備え、
前記リーダライタは、前記不正アクセスが前記情報に対する不正書換である場合、不正書換が行われる前の情報を前記情報記録手段から抽出し、前記情報記録媒体に送出し、前記不正書換が行われた情報を修復する情報修復手段を備えることを特徴とする請求項４に記載の情報通信システム。
【請求項６】
書換え可能な情報とともに、前記情報に対する最新の読出履歴および／または最新の書換履歴を含む最新のアクセス履歴を記録する最新アクセス記録工程と、
前記情報記録媒体と非接触により情報通信を行う情報通信工程と、
前記情報に対する過去のアクセス履歴を記録する過去アクセス履歴記録工程と、
前記最新のアクセス履歴と前記過去のアクセス履歴とを比較し、この比較結果をもとに不正アクセスを検出する不正アクセス検出工程と、
を含むことを特徴とする情報通信方法。
【請求項７】
前記不正アクセス検出工程は、前記不正な書換を検出した場合、不正な書換が行われる前の情報を前記情報記録媒体に送出し、前記不正な書換が行われる前の情報に戻す情報修復工程を含むことを特徴とする請求項６に記載の情報通信方法。
【発明の詳細な説明】
【技術分野】
【０００１】
本発明は、情報記録を記録する情報記録手段と非接触による情報通信を行い、前記情報記録の読出しおよび／または書換えを行う情報記録制御手段を有する情報通信システムおよび情報通信方法に関するものである。
【背景技術】
【０００２】
従来、メモリ機能と通信機能とを備えたＩＣタグに所定の情報を記憶させ、リーダ・ライタによる非接触通信を行い、リーダ・ライタを介してＩＣタグに記録された記録情報を収集し、短時間に情報処理を行うホストコンピュータを用いた情報通信システムが知られている。ところで、ＩＣタグが記録する記録情報は、リーダ・ライタによって随時読出しと随時書換えとが可能である。この記録情報に対する随時読出しと書換えとが可能であることは、利便性を有する反面、不正なアクセスが可能であるという危険性を有する。そのため、この不正アクセスに対抗するため、ＩＣタグが記録した記録情報に対して書換えを制限する技術が開示されている（特許文献１参照）。
【０００３】
【特許文献１】特開２００３−２８３３６６号公報
【発明の開示】
【発明が解決しようとする課題】
【０００４】
しかしながら、上述にの技術は、ＩＣタグに書換え不可能な領域を設けるものであり、書換え可能な領域に関しては、依然不正な書換えが可能であり、また、読出しに関しては、制限が設けられていないため、不正な読出しがあった場合、この不正が行われた事実すら検出できないという問題点があった。
【０００５】
本発明は、上記に鑑みてなされたものであって、簡易な構成でＩＣタグに対する不正アクセスを確実に検出できる情報通信システムおよび情報通信方法を提供することを目的とする。
【課題を解決するための手段】
【０００６】
上記目的を達成するために、請求項１にかかる情報通信システムは、書換え可能な情報とともに、前記情報に対する最新の読出履歴および／または最新の書換履歴を含む最新のアクセス履歴を記録する情報記録媒体と、前記情報記録媒体と非接触により情報通信を行う情報通信手段と、前記情報に対する過去のアクセス履歴を記録するアクセス履歴記録手段と、前記最新のアクセス履歴と前記過去のアクセス履歴とを比較し、この比較結果をもとに不正アクセスを検出する不正アクセス検出手段と、を備えたことを特徴とする。
【０００７】
また、請求項２にかかる情報通信システムは、上記の発明において、前記情報通信手段を接続するクレードルと、前記クレードルに接続されたネットワークと、前記ネットワークに接続され、前記アクセス履歴記録手段と前記不正アクセス検出手段とを備えた情報処理手段と、を備え、前記情報通信手段が前記クレードルに接続され、前記ネットワークを介して前記情報処理手段が前記最新のアクセス履歴を取得し、前記最新のアクセス履歴と前記過去のアクセス履歴とを比較し、この比較結果をもとに不正アクセスを検出することを特徴とする。
【０００８】
また、請求項３にかかる情報通信システムは、上記の発明において、前記情報処理手段は、前記情報媒体が記録する前記情報を記録する情報記録手段をさらに備え、前記情報処理手段は、前記不正アクセスが前記情報に対する不正書換である場合、不正書換が行われる前の情報を前記情報記録手段から抽出し、前記情報記録媒体に送出し、前記不正書換が行われた情報を修復する情報修復手段を備えることを特徴とする。
【０００９】
また、請求項４にかかる情報通信システムは、上記の発明において、前記アクセス履歴記録手段と前記不正アクセス検出手段とをリーダライタが備え、前記リーダライタは、前記情報記録媒体に対するアクセス時に前記情報記録媒体が記録する前記最新のアクセス履歴を読出し、前記最新のアクセス履歴と前記過去のアクセス履歴とを比較し、この比較結果をもとに不正アクセスを検出することを特徴とする。
【００１０】
また、請求項５にかかる情報通信システムは、上記の発明において、前記リーダライタは、前記情報媒体が記録する前記情報を記録する情報記録手段をさらに備え、前記リーダライタは、前記不正アクセスが前記情報に対する不正書換である場合、不正書換が行われる前の情報を前記情報記録手段から抽出し、前記情報記録媒体に送出し、前記不正書換が行われた情報を修復する情報修復手段を備えることを特徴とする。
【００１１】
また、請求項６にかかる情報通信方法は、上記の発明において、書換え可能な情報とともに、前記情報に対する最新の読出履歴および／または最新の書換履歴を含む最新のアクセス履歴を記録する最新アクセス記録工程と、前記情報記録媒体と非接触により情報通信を行う情報通信工程と、前記情報に対する過去のアクセス履歴を記録する過去アクセス履歴記録工程と、前記最新のアクセス履歴と前記過去のアクセス履歴とを比較し、この比較結果をもとに不正アクセスを検出する不正アクセス検出工程と、を含むことを特徴とする。
【００１２】
また、請求項７にかかる情報通信方法は、上記の発明において、前記不正アクセス検出工程は、前記不正な書換を検出した場合、不正な書換が行われる前の情報を前記情報記録媒体に送出し、前記不正な書換が行われる前の情報に戻す情報修復工程を含むことを特徴とする。
【発明の効果】
【００１３】
本発明にかかる情報通信システムおよび情報通信方法は、ＩＣタグに対するアクセスを最新のアクセス履歴として記録し、ホストコンピュータが記録する過去のアクセス履歴とを比較することによって不正なアクセスを確実に検出できるという効果を奏する。
【発明を実施するための最良の形態】
【００１４】
以下に添付図面を参照して、この発明にかかる情報通信システムおよび情報通信方法の好適な実施の形態を詳細に説明する。
【００１５】
（実施の形態１）
図１は、この発明の実施の形態１である情報通信システム１の概要構成を示すブロック図である。図１に示すように、この情報通信システム１は、タグ情報を記録するＩＣタグ２と、ＩＣタグ２と非接触通信を行いタグ情報の読出しとともに書換えを行うリーダ・ライタ３と、リーダ・ライタ３を接続し、リーダ・ライタ３に対して充電を行うとともにリーダ・ライタ３が読出したタグ情報をネットワークに送出するクレードル５と、ネットワークを介してクレードル５に接続されたリーダ・ライタ３と通信を行うホストコンピュータ４とを有する。
【００１６】
ＩＣタグ２は、リーダ・ライタ３と通信を行うアンテナ２０と、アンテナ２０で受波した電波を処理して情報に変換する電波処理部２１と、情報を記録する記録部２３と、電波処理部２１と記録部２３とを制御する制御部２２とを有する。記録部２３は、タグ情報を記録するタグ情報記録部２３０とＩＣタグ２に対するアクセス処理の履歴を記録するアクセス履歴記録部２３１とを有する。
【００１７】
リーダ・ライタ３は、ＩＣタグ２と非接触による通信を行い、通常コマンドを用いてタグ情報記録部２３０が記録するタグ情報の読出しとともに書換えを行い、専用コマンドを用いてアクセス履歴記録部２３１が記録するアクセス履歴の読出しを行う。また、リーダ・ライタ３は、読出したタグ情報とアクセス履歴とを記録する記録部３６を有する。リーダ・ライタ３は、クレードル５に装着されると、充電が行われるとともに記録部３６が記録したタグ情報とアクセス履歴とをネットワークを介してホストコンピュータ４に送出する。
【００１８】
ホストコンピュータ４は、ネットワークを介して入力した情報を処理する入出力インタフェース４１と、アクセス履歴を格納するアクセス履歴ＤＢ４３とタグ情報を格納するＩＣタグ情報ＤＢ４４と、ＩＣタグに対する不正アクセスを表示する表示部４５と、ＩＣタグに対する不正アクセスを検出するとともにアクセス履歴ＤＢ４３とＩＣタグ情報ＤＢ４４と表示部４５とを制御する制御部４２とを有する。
【００１９】
制御部４２は、ＩＣタグ２から読出した最新のアクセス履歴とアクセス履歴ＤＢ４３が格納している過去のアクセス履歴とを比較し、この比較結果をもとに不正アクセスを検出する不正アクセス検出部４２０と、不正アクセスが検出され、不正アクセスが不正書換であった場合、不正に書換えられた情報を修復するタグ情報修復部４２１とを有する。
【００２０】
ホストコンピュータ４は、リーダ・ライタ３とクレードル５とネットワークとを介してＩＣタグ２が記録するタグ情報とアクセス履歴とを取得するとともにＩＣタグ２のタグ情報の書換えを行う。ホストコンピュータ４とリーダ・ライタ３とが無線機能を備えるようにしてネットワーク、クレードル５を介さずに直接交信してもよい。
【００２１】
図２は、記録部２２が有するタグ情報記録部２３０とアクセス履歴記録部２３１との概要構成を示す模式図である。図２に示すように、タグ情報記録部２３０は、複数の記録ブロックＮｏ.１，Ｎｏ２，Ｎｏ.３，・・・を有し、これらの記録ブロックは、通常コマンドによってアクセス処理が可能である。一方、アクセス履歴記録部２３１は、読出履歴を記録する記録ブロックＮｏ.１００と書換履歴を記録する記録ブロックＮｏ.１０１とを有し、これらの記録ブロックは、専用コマンドによってのみアクセス処理が可能である。
【００２２】
タグ情報記録部２３０は、ＩＣタグ２の固有情報を記録し、アクセス履歴記録部２３１は、このＩＣタグ２に対してアクセス処理がなされた履歴を記録する。通常コマンドは、不正なリーダ・ライタによって送出されることができるが、専用コマンドは、正規のリーダ・ライタによってのみ送出できる。不正なリーダ・ライタは、タグ情報記録部２３０にはアクセス可能であるが、アクセス履歴記録部２３１にはアクセス不可能である。
【００２３】
図３および図４は、アクセス履歴記録部２３１の詳細を示す模式図である。図３に示すように、記録ブロックＮｏ.１００は、ＩＣタグ２の読出履歴が記録され、読出し処理を行ったリーダ・ライタのＩＤ番号と読出し処理が行われた回数とがリーダ・ライタのＩＤ番号ごとに記録されている。ＩＤ番号は、専用コマンドによって通知し、記憶され、ＩＤ番号を備えていない通常のリーダ・ライタによる読出し処理の回数は、ＩＤなしの項目に記録される。
【００２４】
また、図４に示すように、記録ブロックＮｏ.１０１は、ＩＣタグ２の書換履歴が記録され、書換え処理を行ったリーダ・ライタのＩＤ番号と書換え処理が行われた回数とがリーダ・ライタのＩＤ番号ごとに記録されている。図３に示した読出し処理と同様に、ＩＤ番号は、専用コマンドによって通知し、記憶され、ＩＤ番号を備えていない通常のリーダ・ライタによる書換え処理の回数は、ＩＤなしの項目に記録される。
【００２５】
ＩＣタグ２の制御部２２は、読出処理、あるいは書換処理であるアクセス処理が行われた場合、このアクセス処理が行われる度、アクセス履歴記録部２３１の読出履歴、書換履歴を作成するとともに更新を行う。
【００２６】
ここで、ＩＣタグ２に対する不正アクセスを検出する動作手順について説明する。図５は、不正アクセスの検出手順を示すフローチャートである。図５に示すように、まず、リーダ・ライタ３は、通常コマンドあるいは専用コマンドを用いてＩＣタグ２の識別を行い（ステップＳ１０１）、その後、専用コマンドを用いてＩＣタグ２のアクセス履歴を読出し、記録部３６に記録する（ステップＳ１０２）。リーダ・ライタ３がクレードル５に装着された場合（ステップＳ１０３，ＹＥＳ）、ＩＣタグ２の識別情報とともに最新のアクセス履歴をホストコンピュータ４に送出する（ステップＳ１０４）。
【００２７】
ホストコンピュータ４の制御部４２は、入力したＩＣタグ２の識別情報がアクセス履歴ＤＢ４３に有るか否か検索を行う（ステップＳ１０５）。ＩＣタグ２の識別情報がアクセス履歴ＤＢ４３に有る場合（ステップＳ１０５，ＹＥＳ）、制御部４２は、識別したＩＣタグ２に対応した過去のアクセス履歴をアクセス履歴ＤＢ４３から抽出する（ステップＳ１０６）。不正アクセス検出部４２０は、抽出した過去のアクセス履歴とリーダ・ライタ３から入力した最新のアクセス履歴とが一致するか否かを比較する（ステップＳ１０７）。
【００２８】
過去のアクセス履歴と最新のアクセス履歴とが一致した場合（ステップＳ１０７，ＹＥＳ）、不正アクセス検出部４２０は、ＩＣタグ２に対する不正アクセスは無いと判断し、リーダ・ライタ３は、ＩＣタグ２に対し所望のアクセス処理を実施する（ステップＳ１０８）。その後、ＩＣタグ２の制御部２２は、記録部２３に対してＩＣタグ２に対して行われたアクセス処理に関するアクセス履歴を更新し（ステップＳ１０９）、また、制御部４２もアクセス履歴ＤＢ４３に対してＩＣタグ２に対して行われたアクセス処理に関するアクセス履歴を更新する（ステップＳ１１０）。この更新手順は、逆であってもよいし、同時に行ってもよい。
【００２９】
一方、最新のアクセス履歴と過去のアクセス履歴とが一致しない場合（ステップＳ１０７，ＮＯ）、不正アクセス検出部４２０は、ＩＣタグ２に対する不正アクセスが有ったと判断し、つぎに、不正アクセスが不正読出であるか不正書換であるかを判断する（ステップＳ１１１）。
【００３０】
不正アクセスは、タグ情報の不一致により不正書換が判明し、また、読出回数の不一致により不正読出が判明する。不正アクセス検出部４２０が不正書換を検出した場合（ステップＳ１１１，不正書換）、制御部４２は、表示部４５に対して不正書換を表示し（ステップＳ１１２）、タグ情報修復部４２１は、不正書換が行われる前のタグ情報をＩＣタグ情報ＤＢ４４から抽出してＩＣタグ２に送出し、タグ情報を修復する（ステップＳ１１３）。
【００３１】
一方、不正アクセス検出部４２１が不正読出を検出した場合（ステップＳ１１１，不正読出）、制御部４２は、表示部４５に対して不正読出を表示し（ステップＳ１１４）、ＩＣタグ２管理者に警告を与える。当然、不正読出と不正書換との双方が検出された場合、上述した不正読出に対する処置と不正書換に対する処置との双方を行う。
【００３２】
すなわち、この情報通信システム１は、ＩＣタグ２がＩＣタグ２に対する最新のアクセス履歴を記録するとともにホストコンピュータ４２がＩＣタグ２に対する過去のアクセス履歴を記録し、互いのアクセス履歴を比較し、不一致があった場合、ＩＣタグ２に対する不正アクセスを検出する。
【００３３】
不正読出が検出された場合、制御部４２は、不正読出を表示し、迅速にＩＣタグ２管理者に警告を発することができ、また、不正な書換えが検出された場合、不正な書換前のタグ情報をＩＣタグ２に送出し、ＩＣタグ２のタグ情報を修復できる。
【００３４】
この実施の形態１では、ＩＣタグ２が正規なリーダ・ライタ、不正なリーダ・ライタを含めＩＣタグ２に対する最新のアクセス履歴を記録し、ホストコンピュータ４が正規のリーダ・ライタのアクセス処理が行われた過去のアクセス履歴を記録し、最新のアクセス履歴と過去のアクセス記録とを比較することによって、ＩＣタグ２に対する不正アクセスを確実に検出できる。
【００３５】
（変形例）
この実施の形態１では、不正書換が検出された場合、ホストコンピュータ４がタグ情報の修復を行うようにしていたが、この変形例では、リーダ・ライタがタグ情報の修復を行い、不正書換に迅速に対応するようにしている。
【００３６】
図６は、記録部２３が有するタグ情報記録部２３０とアクセス履歴記録部２３１とを示す模式図である。図６に示すように、アクセス履歴記録部２３１は、読出履歴と書換履歴とを記録する記録ブロックＮｏ.１００，１０１以外にタグ情報の移し代えた先の対応表を記録する記録ブロックＮｏ.１０２を有し、さらにタグ情報記録部２３０で書換えられたタグ情報を移し代えて記録する記録ブロックＮｏ.１０３，１０４，・・・を有する。
【００３７】
たとえば、タグ情報記録部２３０の記録ブロックＮｏ.１に記録されている「Ａ」が「Ｃ」に書換えられ、記録ブロックＮｏ.２に記録されている「Ｂ」が「Ｄ」に書換えられた場合、制御部２２は、記録ブロックＮｏ.１０３に「Ａ」を記録し、記録ブロックＮｏ.１０４に「Ｂ」を記録するとともに対応表の記録ブロックＮｏ.１０２に、この対応関係を記録する。図７は、対応表の記録ブロックＮｏ.１０２の詳細を示す模式図である。図７に示すように、この対応表には、記録ブロックＮｏ.１は、記録ブロックＮｏ.１０３に移し代えられ、記録ブロックＮｏ.２は記録ブロックＮｏ.１０４に移し代えられていることが示されている。不正書換が検出された場合、ホストコンピュータ４からタグ情報を取り寄せることなくタグ情報の修復が迅速に行える。
【００３８】
（実施の形態２）
つぎに、この発明にかかる実施の形態２について説明する。実施の形態１では、ホストコンピュータ４がＩＣタグ２に対する不正アクセスを検出するようにしていたが、この実施の形態２では、リーダ・ライタが不正アクセスを検出するようにしている。
【００３９】
図８は、この実施の形態２にかかる情報通信システム１Ａの概要構成を示すブロック図である。図８に示すように、この情報通信システム１Ａは、実施の形態１で示したリーダ・ライタ３とホストコンピュータ４とをリーダ・ライタ３Ａに代えている。リーダ・ライタ３Ａは、ＩＣタグ２と交信するアンテナ３０と、電波を情報に変換する電波処理部３１と、ＩＣタグ２のアクセス履歴を格納するアクセス履歴ＤＢ３３と、ＩＣタグ２のタグ情報を格納するＩＣタグ情報ＤＢ３４と、不正なアクセスの有無を表示する表示部３５と、不正アクセスを検出するとともに電波処理部３１とアクセス履歴ＤＢ３３とＩＣタグ情報ＤＢ３４と表示部３５とを制御する制御部３２とを有する。
【００４０】
制御部３２は、不正アクセスを検出する不正アクセス検出部３２０とタグ情報修復部３２１とを有する。その他の構成は、実施の形態１に示した情報通信システム１と同じであり、同一構成部分には同一符号を付している。
【００４１】
図８に示すように、リーダ・ライタ３Ａは、専用コマンドを用いてＩＣタグ２のアクセス履歴記録部２３１が記録する最新のアクセス履歴を読出し、不正アクセス検出部３２０は、アクセス履歴ＤＢ３３が格納する過去のアクセス履歴と比較し、不一致である場合、ＩＣタグ２に対する不正アクセスを検出する。
【００４２】
図９は、この実施の形態２での不正アクセスを検出する動作手順を示すフローチャートである。図９に示すように、まず、リーダ・ライタ３Ａは、通常コマンドあるいは専用コマンドを用いてＩＣタグ２を識別し（ステップＳ２０１）、その後、専用コマンドを用いてアクセス履歴を読出し、記録する（ステップＳ２０２）。その後のステップＳ２０５〜Ｓ２１１は、実施の形態１で示した図５のフローチャートのステップＳ１０５〜Ｓ１１１に対応し、不正アクセスを確実に検出するとともに不正書換に迅速に対応できる。
【００４３】
ＩＣタグ２とリーダ・ライタ３Ａとが１対で使用される場合、リーダ・ライタ３ＡがＩＣタグ２の過去のアクセス履歴を格納すれば、ホストコンピュータを必要とせずに不正アクセスを短時間にかつ確実に検出できるとともに不正書換に迅速に対応できる。
【００４４】
この実施の形態２では、リーダ・ライタ３Ａにアクセス履歴ＤＢ３３とタグ情報ＤＢ３４とを備えることによって、簡易にかつ短時間に不正アクセスを検出するとともに不正書換に迅速に対応できる。
【００４５】
なお、この実施の形態２では、リーダ・ライタ３ＡがＩＣタグ情報ＤＢ３４を備え、ＩＣタグ２に対してタグ情報の修復を行えるようにしていたが、リーダ・ライタ３は、不正アクセスの検出のみを行い、タグ情報の修復は、ホストコンピュータ（図示せず）を接続して行うようにしてもよい。
【００４６】
なお、上述の実施の形態１，２では、ＩＣタグ２は、アクセス履歴として、読出履歴と書換履歴との双方を記憶するようにしていたが、読出履歴のみを記憶し、ホストコンピュータ４、あるいはリーダ・ライタ３Ａが書換履歴を記憶するようにしてもよい。
【００４７】
あるいは、読出、書換以外の通信履歴、例えばＩＣタグ２の固有識別番号の問合せが行われた回数などを合わせて記憶し、不正アクセスの検出に使ってもよい。
【図面の簡単な説明】
【００４８】
【図１】この発明の実施の形態１にかかる情報通信システムの概要構成を示すブロック図である。
【図２】この発明の実施の形態１にかかるＩＣタグが記録する記録ブロックの概要を示す模式図である。
【図３】この発明の実施の形態１にかかる読出し履歴の内容を示す模式図である。
【図４】この発明の実施の形態１にかかる書換え履歴の内容を示す模式図である。
【図５】この発明の実施の形態１にかかる不正アクセスを検出する動作を示すフローチャートである。
【図６】この発明の実施の形態１の変形例にかかるＩＣタグが記録する記録ブロックの内容を示す模式図である。
【図７】この発明の実施の形態１にかかるＩＣタグが記録する記録ブロックの内容を示す模式図である。
【図８】この発明の実施の形態２にかかる情報通信システムの概要構成を示すブロック図である。
【図９】この発明の実施の形態２にかかる不正アクセスを検出する動作を示すフローチャートである。
【符号の説明】
【００４９】
１，１Ａ  情報通信システム
２  ＩＣタグ
３，３Ａ  リーダ・ライタ
４  ホストコンピュータ
５  クレードル
２０，３０  アンテナ
２１，３１  電波処理部
２２，３２，４２  制御部
２３，３６  記録部
３３，４３  アクセス履歴ＤＢ
３４，４４  ＩＣタグ情報ＤＢ
３５，４５  表示部
４１  入出力インタフェース
２３０  タグ情報記録部
２３１  アクセス履歴記録部
３２０，４２０  不正アクセス検出部
３２１，４２１  タグ情報修復部
【図１】
2007006144.tif 000003
【図２】
2007006144.tif 000004
【図３】
2007006144.tif 000005
【図４】
2007006144.tif 000006
【図５】
2007006144.tif 000007
【図６】
2007006144.tif 000008
【図７】
2007006144.tif 000009
【図８】
2007006144.tif 000010
【図９】
2007006144.tif 000011